(57)【要約】【課題】  ショベルマシン用コンクリート構造物破砕・切断装置で鉄筋コンクリート構造物を破砕・切断する場合、回動アームの操作によってコンクリートが破砕され、切断し残された鉄筋の切断を回動アームを閉じる操作時のみならず開く操作のときにも行えるショベルマシン用コンクリート構造物破砕・切断装置を提供する。【解決方法】  駆動手段を有する保持フレームに回動可能に軸支された一対の回動アームを有する各種ショベルマシン用コンクリート構造物破砕・切断装置の一対の回動アームが、回動アームの駆動手段によって保持フレーム内に引き込まれる際、前記回動アームの外周面と保持フレームとの間で鉄筋を挟持して切断するための鉄筋切断用補助カッターを前記保持フレームに固設したショベルマシン用コンクリート構造物破砕・切断装置による。【選択図】  図１
2008081999.tif 000002
【特許請求の範囲】
【請求項１】
駆動手段６を有する保持フレーム２に回動可能に軸支された一対の回動アーム３ａ、３ｂを有する各種ショベルマシン用コンクリート構造物破砕・切断装置１において、その保持フレーム２に回動可能に軸支された一対の回動アーム３ａ、３ｂが、回動アームの駆動手段６によって保持フレーム２内に引き込まれる際、前記回動アーム３ａ、３ｂの外周面と保持フレーム２との間で鉄筋７を挟持して切断するための鉄筋切断用補助カッター５を前記保持フレーム２に固設してなることを特徴とするショベルマシン用コンクリート構造物破砕・切断装置。
【請求項２】
前記鉄筋切断用補助カッター５が、切断する鉄筋７の挟持が容易なよう内側に湾曲した嘴状の部材で形成されてなることを特徴とする請求項１に記載のショベルマシン用コンクリート構造物破砕・切断装置。
【請求項３】
前記鉄筋切断用補助カッター５が、その内側の鉄筋挟持面８ａの縁端と回動アームの外周面８ｂの縁端とが咬合する位置で、かつ回動アームの駆動手段６の作動を妨げない位置に、前記保持フレーム２と一体に形成されてなることを特徴とする請求項１又は２に記載のショベルマシン用コンクリート構造物破砕・切断装置。
【請求項４】
前記鉄筋切断用補助カッター５が、前記保持フレーム２の端部に備えられてなることを特徴とする請求項１〜３のいずれか１項に記載のショベルマシン用コンクリート構造物破砕・切断装置。
【発明の詳細な説明】
【技術分野】
【０００１】
本願発明は、鉄骨・鉄筋コンクリート構造物の解体に使用される各種ショベルマシン用コンクリート構造物破砕・切断装置の保持フレームに鉄筋を切断する鉄筋切断用補助カッターを固設したショベルマシン用コンクリート構造物破砕・切断装置に関する。
【背景技術】
【０００２】
鉄骨・鉄筋コンクリート構造物の解体には、コンクリートを破砕する破砕装置と、コンクリートが破砕されて露出した鉄骨や鉄筋を切断するカッター装置とが、それぞれ個別にショベルマシン取り付けられて使用されているが、鉄筋コンクリート構造物の解体に限ってみると破砕装置とカッター装置の両者を使用せずともカッター装置のみで十分用が足せる場合も多い。
このショベルマシン用カッター装置によって鉄筋コンクリート構造物を解体すると、一対の回動アームで挟持した部分はコンクリートの破砕と鉄筋の切断が同時に行われるが、コンクリートの破砕はその周辺部にも及び、その部分の鉄筋は切断されずに残ることになる。
このような場合、従来のカッター装置では回動アームの駆動手段によって一対の回動アームの先端を開き、その相対する端面に装着されたカッター刃で残された鉄筋を挟持した後、回動アームを回動して先端を閉じ、カッター刃によって前記鉄筋を切断することが行われてきた。残された鉄筋のすべてが前記カッター刃で一度に挟持できない場合には、前記操作、すなわち回動アームの開閉操作を繰り返して行う必要があった。
【発明の開示】
【発明が解決しようとする課題】
【０００３】
本願発明の課題は、上記背景技術に鑑み、前記回動アームの操作によってコンクリートが破砕され、切断し残されて露出した鉄筋の切断を回動アームを閉じる操作時のみならず開く操作のときにも行って鉄筋コンクリート構造物の解体作業の効率を高められるショベルマシン用コンクリート構造物破砕・切断装置を提供することにある。
【課題を解決するための手段】
【０００４】
本発明者は、上記課題を下記の手段で解決した。
（１）駆動手段を有する保持フレームに回動可能に軸支された一対の回動アームを有する各種ショベルマシン用コンクリート構造物破砕・切断装置において、その保持フレームに回動可能に軸支された一対の回動アームが、回動アームの駆動手段によって保持フレーム内に引き込まれる際、前記回動アームの外周面と保持フレームとの間で鉄筋を挟持して切断するための鉄筋切断用補助カッターを前記保持フレームに固設してなることを特徴とするショベルマシン用コンクリート構造物破砕・切断装置。
（２）前記鉄筋切断用補助カッターが、切断する鉄筋の挟持が容易なよう内側に湾曲した嘴状の部材で形成されてなることを特徴とする前項（１）に記載のショベルマシン用コンクリート構造物破砕・切断装置。
（３）前記鉄筋切断用補助カッターが、その内側の鉄筋挟持面の縁端と回動アームの外周面の縁端とが咬合する位置で、かつ回動アームの駆動手段の作動を妨げない位置に、前記保持フレームと一体に形成されてなることを特徴とする前項（１）又は（２）に記載のショベルマシン用コンクリート構造物破砕・切断装置。
（４）前記鉄筋切断用補助カッターが、前記保持フレームの端部に備えられてなることを特徴とする前項（１）〜（３）のいずれか１項に記載のショベルマシン用コンクリート構造物破砕・切断装置。
【発明の効果】
【０００５】
本願発明のショベルマシン用コンクリート構造物破砕・切断装置によって、下記の効果が発揮できる。
〈１〉ショベルマシン用コンクリート構造物破砕・切断装置の保持フレームに回動可能に軸支された一対の回動アームが回動アームの駆動手段によって保持フレーム内に引き込まれる際に、前記回動アームの外周面との間に鉄筋を挟持して切断可能にするよう鉄筋切断用補助カッターが保持フレームに固設されているので、一対の回動アームで挟持し破砕・切断した部分以外にコンクリートが破砕された回動アームの先端周辺部に切断し残されて露出した鉄筋を、次に行うコンクリート構造物の破砕切断時に先端を閉じた回動アームを開く操作で切断でき、鉄筋コンクリート構造物の解体工事の作業効率を高めることができる。
〈２〉鉄筋切断用補助カッターが、内側に湾曲した嘴状に形成されているので、切断する鉄筋を確実、容易に挟持・切断できる。
〈３〉鉄筋切断用補助カッターは、前記内側に湾曲した嘴状の構造体をその内側面の縁端と回動アームの外周面の縁端とが咬合するよう前記保持フレームと一体に形成されればよく、鉄筋切断補助カッターの固設によるショベルマシン用コンクリート構造物破砕・切断装置の製造コストに影響を及ぼすものではない。
【発明を実施するための最良の形態】
【０００６】
本願発明のショベルマシン用コンクリート構造物破砕・切断装置の実施の形態を、実施例の図に基づいて説明する。
図１は、本願発明のショベルマシン用コンクリート構造物破砕・切断装置の実施例の外形斜視図、図２は図１の二点鎖線の円で囲んだ鉄筋切断用補助カッター近傍の詳細斜視図であって（ａ）は回動アームの先端が閉じて鉄筋を鉄筋切断用補助カッターの鉄筋挟持面に当接した状態を示し、（ｂ）は回動アームの先端を開いて鉄筋を鉄筋切断用補助カッターの鉄筋挟持面と回動アームの外周面とで挟持した状態を示したものである。また図３は鉄筋切断用補助カッターの作用説明図である。
図において１はショベルマシン用コンクリート構造物破砕・切断装置、２は保持フレーム、３ａ、３ｂは回動アーム、４ａ、４ｂはカッター刃、５は鉄筋切断用補助カッター、６は回動アームの駆動手段、７は鉄筋、７’は切断された鉄筋、８ａ鉄筋切断用補助カッターの鉄筋挟持面、８ｂは回動アームの外周面を示す。
なお、本実施例の図は、鉄筋切断用補助カッター５を前記回動アーム３ａ、３ｂのいずれか一方に対応する保持フレームの端部にのみ（図１及び図２では３ｂ側）に固設した場合を示しており、以下の説明はこの図に基づいて行うが、一対の回動アーム３ａ、３ｂの双方に対応する２箇所に前記鉄筋切断用補助カッター５を固設するのを妨げるものではない。
【０００７】
本願発明のショベルマシン用コンクリート構造物破砕・切断装置１は、図１に示すように、ショベルマシン用コンクリート構造物破砕・切断装置１の保持フレーム２の端部に、内側に湾曲した嘴状をした部材からなる鉄筋切断用補助カッター５が固設されており、前記鉄筋切断用補助カッターの内側に湾曲した面を鉄筋の挟持面８ａとし、前記保持フレーム２に回動可能に軸支された一対の回動アーム３ａ、３ｂが、可動アームの駆動手段６によって保持フレーム２内に引き込まれる際、前記鉄筋挟持面８ａと回動アーム３ａ、３ｂの外側面８ｂとの間で鉄筋７を挟持して切断できるように構成される。したがって、前記鉄筋切断用補助カッター５は、その内側の鉄筋挟持面８ａの縁端と回動アーム３の外周面８ｂの縁端とが咬合する位置で、かつ回動アームの駆動手段６の作動を妨げない位置に前記保持フレーム２と一体として形成されるのが強度を高めるうえで好ましい。
【０００８】
本願発明のショベルマシン用コンクリート構造物破砕・切断装置１に備えた鉄筋切断用補助カッター５による鉄筋切断作業は、次の順序で行われる。
I．ショベルマシン用コンクリート構造物破砕・切断装置１の一対の回動アーム３ａ、３ｂの先端を閉じることによって前記回動アーム３ａ、３ｂの相対する端部に装着されたカッター刃４ａ、４ｂに挟持された部分の鉄筋コンクリート構造物が破砕・切断される際、コンクリートの破砕はその周辺部に及び、前記周辺部の鉄筋７は切断されずに残り、露出する。
II．次いで図２（ａ）に示すように、回動アーム３ａ、３ｂの先端が閉じた状態で、前記鉄筋切断用補助カッター５の鉄筋挟持面８ａを前記露出した鉄筋７に当接させる。
III．回動アームの駆動手段６によって回動アーム３ａ、３ｂの先端を開くように回動し、図２（ｂ）に示すように回動アーム３ｂの外周面８ｂを、先に鉄筋７に当接させた鉄筋切断用補助カッター５の鉄筋挟持面８ａとの間で前記鉄筋を挟持するよう当接させる。この際前記鉄筋挟持面８ａの縁端と回動アーム３ｂの外周面８ｂの縁端とが鉄筋７を挟んで上下に間隔を有することなく咬合していることが肝要になる。
IV．回動アーム３ａ、３ｂをさらに開くことによって、前記鉄筋挟持面８ａと回動アーム３ｂの外周面８ｂの相対する縁端部の剪断力によって鉄筋７が切断される。
V．回動アーム３ａ、３ｂが開かれた状態でまだ切断すべき鉄筋が残っている場合には、前記回動アームを再度閉じて、残された鉄筋を前記カッター刃４ａ、４ｂで挟持し切断する。
VI．上記II〜IVの作業を必要回数繰り返し行い、残された鉄筋７がすべて切断された後、前記回動アームの先端が開いた状態にして、次に解体する部分の鉄筋コンクリート構造物の破砕・切断準備を整える。
上記のように回動アーム３ａ、３ｂの開閉両方の操作で鉄筋７の切断が行われるので、従来の鉄筋コンクリート構造物の解体作業に比べて効率的になり、工期の短縮が図れることになる。
【０００９】
鉄筋切断用補助カッター５の作用を図３に基づいて説明する。
回動アーム３ｂは、図３（ｅ）の矢印で示すように回動アーム駆動手段により保持フレーム２内に引き込まれ、それに伴って回動アーム３ｂの外周面は、鉄筋切断用補助カッター５に近づいていく。
図３（ａ）で回動アーム３ｂの外周面に当接した鉄筋７は、回動アーム３ｂが保持フレーム２内に引き込まれるにつれて、図３（ｂ）に示すように鉄筋切断用補助カッター５の内側に送り込まれ、図３（ｃ）に示すように回動アーム３ｂの外周面と鉄筋切断用補助カッター５の鉄筋保持面とで挟持するようになる。
回動アーム３ｂがそれ以上保持フレーム２引き込まれると、前記回動アーム３ｂの外周面と鉄筋補助アーム５の鉄筋保持面との間で作用する剪断力によって鉄筋７は切断される［図３（ｄ）参照］。なお図３（ｄ）では切断された鉄筋を７’として表示している。
また、図３（ｅ）は、上記作用を連続的に表示したものであり、鉄筋７が鉄筋切断用補助カッター５内に取り入れられ切断される様子を示している。
【産業上の利用可能性】
【００１０】
鉄筋切断用補助カッターは、回動アームを備えたショベルマシン用鉄骨・鉄筋コンクリート構造物破砕・切断装置のすべてに適用できる。
【図面の簡単な説明】
【００１１】
【図１】本願発明のショベルマシン用コンクリート構造物破砕・切断装置の実施例の外形斜視図
【図２】図１の二点鎖線の円で囲んだ鉄筋切断用補助カッター近傍の詳細斜視図
【図３】鉄筋切断用補助カッターの作用説明図
【符号の説明】
【００１２】
１：ショベルマシン用コンクリート構造物破砕・切断装置
２：保持フレーム
３ａ、３ｂ：回動アーム
４ａ、４ｂ：カッター刃
５：鉄筋切断用補助カッター
６：回動アームの駆動手段
７：鉄筋
７’：切断された鉄筋
８ａ：鉄筋切断用補助カッターの鉄筋挟持面
８ｂ：回動アームの外周面
【図１】
2008081999.tif 000003
【図２】
2008081999.tif 000004
【図３】
2008081999.tif 000005